(57)【要約】【課題】製氷機から貯氷庫内に溜めた砕氷を解砕して確実に排出すること。【解決手段】砕氷ｇを製造する製氷機１と、該製氷機１から排出した砕氷ｇを貯留するホッパー形貯氷庫２と、該貯氷庫２の底部に設けた略Ｕ字状トラフ３内に落とし込んだ砕氷ｇをそのトラフ３の端部側へ搬送して貯氷庫２外に排出するためのスクリューコンベア５とを備え、前記貯氷庫２内に砕氷ｇを解砕するための解砕手段６が設けられた製氷装置において、前記解砕手段６が、貯氷庫２内の中央部に回転駆動可能に配置した軸体１０と、該軸体１０にその軸体１０の長手方向所定間隔をおいて突設した複数の攪拌棒１１とからなり、該各攪拌棒１１の先端部を前記貯氷庫２の内周面に接近させた。【選択図】        図２
2004278827.tif 000002
【特許請求の範囲】
【請求項１】
砕氷等の細かい氷を製造する製氷機と、該製氷機から排出した氷を貯留するホッパー形貯氷庫と、該貯氷庫の底部に設けた略Ｕ字状トラフ内に落とし込んだ氷をそのトラフの端部側へ搬送して貯氷庫外に排出するためのスクリューコンベアとを備え、前記貯氷庫内に氷結した氷を解砕するための解砕手段が設けられた製氷装置において、前記解砕手段が、貯氷庫内の中央部に回転駆動可能に配置した軸体と、該軸体にその軸体の長手方向所定間隔をおいて突設した複数の攪拌棒とからなり、該各攪拌棒の先端部を前記貯氷庫の内周面に接近させてなる製氷装置。
【請求項２】
前記貯氷庫が横長箱状に形成されると共に、該貯氷庫内の中央部に前記軸体が水平方向に沿って回転駆動可能に配置され、前記各攪拌棒の先端部をトラフ内のスクリューコンベアにも接近させてなる請求項１に記載の製氷装置。
【請求項３】
前記各攪拌棒の先端部を貯氷庫の開口部にも接近させてなる請求項１または２に記載の製氷装置。
【請求項４】
前記貯氷庫が縦長筒状に形成されると共に、該貯氷庫内の中央部に前記軸体が垂直方向に沿って回転駆動可能に配置され、該軸体の上下両端近傍に前記各攪拌棒が突設され、その下側攪拌棒に、トラフ内のスクリューコンベアに接近する下向き解砕棒が突設させてなる請求項１に記載の製氷装置。
【請求項５】
前記貯氷庫が縦長筒状に形成されると共に、該貯氷庫内の中央部に前記軸体が垂直方向に沿って回転駆動可能に配置され、該軸体の上下両端近傍に前記各攪拌棒が突設され、その上側攪拌棒に、貯氷庫の開口部に接近する上向き解砕棒が突設させてなる請求項１または４に記載の製氷装置。
【請求項６】
前記各攪拌棒の先端部に、該各攪拌棒とは直交するようにして解砕爪が固着させてなる請求項１から５のいずれかに記載の製氷装置。
【発明の詳細な説明】
【０００１】
【発明の属する技術分野】
本発明は、製氷機から貯氷庫内に溜めた砕氷などの細かい氷を解砕して確実に排出するようにした製氷装置に関する。
【０００２】
【従来の技術】
従来、製氷装置の一例として図８及び図９に示すものがある。これは、一辺の長さが１０〜１５ｍｍ程度の細かい氷、即ち砕氷ｇを製造する製氷機１と、該製氷機１から排出した砕氷ｇを貯留する横長箱状ホッパー形貯氷庫２と、該貯氷庫２の底部に設けた略Ｕ字状トラフ３内に落とし込んだ砕氷ｇをそのトラフ３の端部側排出口４に向かって矢印ａ方向に搬送して貯氷庫２外に排出するためのスクリューコンベア５とを備え、前記貯氷庫２内に解砕手段６が設けられている。
【０００３】
前記解砕手段６は、貯氷庫２内の中央部に水平方向に沿って回転駆動可能に配置した互いに平行する２本の軸体７ａと、該各軸体７ａの外周面に放射状に突設した多数のクラッシャバー７ｂとを備えた一対のクラッシャ７からなり、該各クラッシャ７を駆動モータ８により互いに逆向き方向ｂに回転させて、貯氷庫２内で氷結した砕氷ｇを解砕する。
【０００４】
上記構成では、両クラッシャ７を互いに逆向き方向ｂに回転させて砕氷ｇを解砕させるようになっており、これでは、各クラッシャ７のクラッシャバー７ｂが短いため、両クラッシャ７とスクリューコンベア５との間で砕氷ｇがブリッジ状に氷結成長して氷塊底層Ｇ１が形成されたり、貯氷庫２の内側面に沿って砕氷ｇが氷結成長して氷塊壁層Ｇ２が形成されると共に、貯氷庫２の開口部２ａに沿って砕氷ｇが氷結成長して氷塊天井層Ｇ３が形成されることがあり、これにより、各クラッシャ７及びスクリューコンベア５の周囲に空隙Ｓが形成されて、貯氷庫２内から砕氷ｇを排出することができなくなるおそれがある。
【０００５】
上記問題点を解消するため、本発明者が特許文献１に記載の技術を開発した。これは、図８に仮想線で示すように、スクリューコンベア５の羽根部５ａを所定ピッチで螺旋巻きした軸体５ｂに、同一ピッチの羽根部５ｃを部分的に追加して、その両羽根部５ａ，５ｃにより短いリードＬａと長いリードＬｂとを交互に形成したものであって、その両羽根部５ａ，５ｃの短いリードＬａの部分で持ち上げた砕氷ｇを両クラッシャ７で解砕することにより、砕氷ｇの氷結によるブリッジの形成を阻止するものである。
【０００６】
【特許文献１】
特開２００２−６２００５号公報
【０００７】
【発明が解決しようとする課題】
上記構成では、両クラッシャ７とスクリューコンベア５とにより、その両者間に形成される氷塊底層Ｇ１をある程度解砕することができるが、貯氷庫２の内側面に沿って形成される氷塊壁層Ｇ２や貯氷庫２の開口部２ａに沿って形成される氷塊天井層Ｇ３を解砕することができず、貯氷庫内に溜めた砕氷ｇを排出することが困難になるおそれがある。
【０００８】
本発明は、上記従来の欠点に鑑み、製氷機から貯氷庫内に溜めた砕氷などの細かい氷を解砕して確実に排出するようにした製氷装置を提供することを目的としている。
【０００９】
【課題を解決するための手段】
上記目的を達成するための本発明の構成を実施の形態に対応する図面に基づいて説明すると、請求項１に記載の発明は、図１及び図２に示すように、砕氷等の細かい氷ｇを製造する製氷機１と、該製氷機１から排出した氷ｇを貯留するホッパー形貯氷庫２と、該貯氷庫２の底部に設けた略Ｕ字状トラフ３内に落とし込んだ氷ｇをそのトラフ３の端部側へ搬送して貯氷庫２外に排出するためのスクリューコンベア５とを備え、前記貯氷庫２内に氷結した氷ｇを解砕するための解砕手段６が設けられた製氷装置において、前記解砕手段６が、貯氷庫２内の中央部に回転駆動可能に配置した軸体１０と、該軸体１０にその軸体１０の長手方向所定間隔をおいて突設した複数の攪拌棒１１とからなり、該各攪拌棒１１の先端部を前記貯氷庫２の内周面に接近させてなる構成を採用するものである。
【００１０】
上記構成によれば、貯氷庫２内の中央部に配置した軸体１０を回転駆動することにより、該軸体１０に突設した複数の攪拌棒１１により貯氷庫２内に貯留されている氷ｇを攪拌するので、貯氷庫２内の氷ｇを氷結しないように解砕することができると共に、その各攪拌棒１１の先端部を貯氷庫２の内周面に接近させているので、従来のように貯氷庫２の内側面に沿って氷塊壁層Ｇ２（図９参照）が形成されるのを阻止することができる。
【００１１】
請求項２に記載の発明は、図１及び図２に示すように、請求項１に記載の発明において、前記貯氷庫２が横長箱状に形成されると共に、該貯氷庫２内の中央部に前記軸体１０が水平方向に沿って回転駆動可能に配置され、前記各攪拌棒１１の先端部をトラフ３内のスクリューコンベア５にも接近させてなる構成を採用するものである。
【００１２】
上記構成によれば、スクリューコンベア５とそれに接近させた各攪拌棒１１の先端部とにより氷ｇが確実に解砕されるので、その両者５，１１間に従来のように氷塊底層Ｇ１（図９参照）が形成されることがなくなり、横長箱状の貯氷庫２内から砕氷などの細かい氷ｇをトラフ３内に確実に落とし込むことができる。
【００１３】
請求項３に記載の発明は、図１及び図２に示すように、請求項１または２に記載の発明において、前記各攪拌棒１１の先端部を貯氷庫２の開口部２ａにも接近させてなる構成を採用するものである。
【００１４】
上記構成によれば、貯氷庫２の開口部２ａに氷結しようとする氷ｇを各攪拌棒１１の先端部により落剥させるので、その開口部２ａに従来のように氷塊天井層Ｇ３（図９参照）が形成されるのを確実に阻止することができる。
【００１５】
請求項４に記載の発明は、図３〜図６に示すように、請求項１に記載の発明において、前記貯氷庫２が縦長筒状に形成されると共に、該貯氷庫２内の中央部に前記軸体１０が垂直方向に沿って回転駆動可能に配置され、該軸体１０の上下両端近傍に前記各攪拌棒１１が突設され、その下側攪拌棒１１に、トラフ３内のスクリューコンベア５に接近する下向き解砕棒１４が突設されてなる構成を採用するものである。
【００１６】
上記構成によれば、スクリューコンベア５とそれに接近させた下向き解砕棒１４とにより氷ｇが確実に解砕されるので、その両者５，１４間に従来のように氷塊底層Ｇ１（図９参照）が形成されることがなくなり、縦長筒状の貯氷庫２内から砕氷などの細かい氷ｇをトラフ３内に確実に落とし込むことができる。
【００１７】
請求項５に記載の発明は、図３及び図４に示すように、請求項１または４に記載の発明において、前記貯氷庫２が縦長筒状に形成されると共に、該貯氷庫２内の中央部に前記軸体１０が垂直方向に沿って回転駆動可能に配置され、該軸体１０の上下両端近傍に前記各攪拌棒１１が突設され、その上側攪拌棒１１に、貯氷庫２の開口部２ａに接近する上向き解砕棒１５が突設されててなる構成を採用するものである。
【００１８】
上記構成によれば、貯氷庫２の開口部２ａに氷結しようとする氷ｇを上向き解砕棒１５により落剥させるので、その開口部２ａに従来のように氷塊天井層Ｇ３（図９参照）が形成されるのを確実に阻止することができる。
【００１９】
請求項６に記載の発明は、図１及び図２に示すように、請求項１から５のいずれかに記載の発明において、前記各攪拌棒１１の先端部に、該各攪拌棒１１とは直交するようにして解砕爪１２が固着されてなる構成を採用するものである。
【００２０】
上記構成によれば、各攪拌棒１１の先端部に固着した解砕爪１２により貯氷庫２の内周面に付着しようとする氷ｇを確実に削り落とすことができる。
【００２１】
【発明の実施の形態】
図１及び図２は本発明の第１の実施の形態である製氷装置を示すものであって、解砕手段６が、横長箱状に形成した貯氷庫２内の中央部に水平方向に沿って回転駆動可能に配置した軸体１０と、該軸体１０にその軸体１０の長手方向所定間隔をおいて突設した複数の攪拌棒１１とからなっており、該各攪拌棒１１の先端部が貯氷庫２の内周面に接近されると共に、該各攪拌棒１１の先端部に、その攪拌棒１１とは直交するようにして解砕爪１２が固着されている。上記以外の構成は図８及び図９に示す構成とはほぼ同一であるから、同一部分に同一符号を付してその説明を省略する。
【００２２】
上記構成において、製氷機１で製造した砕氷ｇが貯氷庫２内に貯留され、駆動モータ８により軸体１０を介して各攪拌棒１１を回転させることにより、貯氷庫２内の砕氷ｇが攪拌されると共に、解砕爪１２により貯氷庫２の内周面に付着しようとする砕氷ｇが削り落とされ、トラフ３内に落とし込んだ砕氷ｇがスクリューコンベア５により矢印ａ方向に搬送されて排出口４から貯氷庫２外に排出される。
【００２３】
この場合、貯氷庫２内の中央部に配置した軸体１０を回転駆動することにより、該軸体１０に突設した複数の攪拌棒１１により貯氷庫２内に貯留されている砕氷ｇを攪拌するので、貯氷庫２内の砕氷ｇを氷結しないように解砕することができると共に、その各攪拌棒１１の先端部を貯氷庫２の内周面に接近させているので、従来のように貯氷庫２の内側面に沿って氷塊壁層Ｇ２（図９参照）が形成されるのを阻止することができる。
【００２４】
また、前記各攪拌棒１１の先端部をトラフ３内のスクリューコンベア５にも接近させており、該スクリューコンベア５とそれに接近させた各攪拌棒１１の先端部とにより砕氷ｇが確実に解砕されるので、その両者５，１１間に従来のように氷塊底層Ｇ１（図９参照）が形成されることがなくなり、横長箱状の貯氷庫２内から砕氷ｇをトラフ３内に確実に落とし込むことができる。
【００２５】
更に、前記各攪拌棒１１の先端部を貯氷庫２の開口部２ａにも接近させており、貯氷庫２の開口部２ａに氷結しようとする砕氷ｇを各攪拌棒１１の先端部により落剥させるので、その開口部２ａに従来のように氷塊天井層Ｇ３（図９参照）が形成されるのを確実に阻止することができる。
【００２６】
しかも、前記各攪拌棒１１の先端部に、該各攪拌棒１１とは直交するようにして解砕爪１２が固着されており、その解砕爪１２により貯氷庫２の内周面に付着しようとする砕氷ｇを確実に削り落とすことができる。
【００２７】
図３及び図４は本発明の第２の実施の形態である製氷装置を示すものであって、解砕手段６が、縦長角筒状に形成した貯氷庫２内の中央部に垂直方向に沿って回転駆動可能に配置した軸体１０と、該軸体１０の上下両端近傍に突設した複数の攪拌棒１１とからなり、該各攪拌棒１１の先端部に固着した解砕爪１２が貯氷庫２の内周面に接近され、下側攪拌棒１１に、トラフ３内のスクリューコンベア５に接近する下向き解砕棒１４が突設され、上側攪拌棒１１に、貯氷庫２の開口部２ａに接近する上向き解砕棒１５が突設されている。なお、１６は軸体１０を回転可能に支持する軸受部材である。上記以外の構成は図１及び図２に示す第１の実施の形態とほぼ同じであるから、同一部分に同一符号を付してその説明を省略する。
【００２８】
上記構成によれば、第１の実施の形態と同じように貯氷庫２の内側面に沿って氷塊壁層Ｇ２（図９参照）が形成されるのを阻止することができ、特に、スクリューコンベア５とそれに接近させた下向き解砕棒１４とにより砕氷ｇが確実に解砕されるので、その両者５，１４間に従来のように氷塊底層Ｇ１（図９参照）が形成されることがなくなり、また、貯氷庫２の開口部２ａに氷結しようとする砕氷ｇを上向き解砕棒１５により落剥させるので、その開口部２ａに従来のように氷塊天井層Ｇ３（図９参照）されるのを確実に阻止することができる。
【００２９】
上記の第２の実施の形態では、貯氷庫２として縦長角筒状のものを示したが、これに限定されるわけではなく、図７に示すように、貯氷庫２が縦長円筒状であってもよい。この場合、解砕爪１２が貯氷庫２の内周面の全周にわたって接近されているので、その内周面に付着しようとする砕氷ｇを一層確実に削り落とすことができる（第３の実施の形態）。
【００３０】
【発明の効果】
請求項１に記載の発明によれば、貯氷庫内の中央部に配置した軸体を回転駆動することにより、該軸体に突設した複数の攪拌棒により貯氷庫内に貯留されている氷を攪拌するので、貯氷庫内の氷を氷結しないように解砕することができると共に、その各攪拌棒の先端部を貯氷庫の内周面に接近させているので、従来のように貯氷庫の内側面に沿って氷塊壁層が形成されるのを阻止することができる。
【００３１】
請求項２に記載の発明によれば、スクリューコンベアとそれに接近させた各攪拌棒の先端部とにより氷が確実に解砕されるので、その両者間に従来のように氷塊底層が形成されることがなくなり、横長箱状の貯氷庫内から砕氷などの細かい氷をトラフ３に確実に落とし込むことができる。
【００３２】
請求項３に記載の発明によれば、貯氷庫の開口部に氷結しようとする氷を各攪拌棒の先端部により落剥させるので、その開口部に従来のように氷塊天井層が形成されるのを確実に阻止することができる。
【００３３】
請求項４に記載の発明によれば、スクリューコンベアとそれに接近させた下向き解砕棒とにより氷が確実に解砕されるので、その両者間に従来のように氷塊底層が形成されることがなくなり、縦長筒状の貯氷庫内から砕氷などの細かい氷をトラフ内に確実に落とし込むことができる。
【００３４】
請求項５に記載の発明によれば、貯氷庫の開口部に氷結しようとする氷を上向き解砕棒により落剥させるので、その開口部に従来のように氷塊天井層が形成されるのを確実に阻止することができる。
【００３５】
請求項６に記載の発明によれば、各攪拌棒の先端部に固着した解砕爪により貯氷庫の内周面に付着しようとする氷を確実に削り落とすことができる。
【図面の簡単な説明】
【図１】本発明の第１の実施の形態である製氷装置の縦断面図である。
【図２】図１のＡ−Ａ矢視図である。
【図３】本発明の第２の実施の形態である製氷装置の縦断面図である。
【図４】図３のＢ−Ｂ矢視図である。
【図５】図３のＣ−Ｃ矢視図である。
【図６】図３のＤ−Ｄ矢視図である。
【図７】本発明の第３の実施の形態である製氷装置の横断面図である。
【図８】従来例を示す縦断面図である。
【図９】図８のＥ−Ｅ矢視図である。
【符号の説明】
１        製氷機
２        貯氷庫
３        トラフ
５        スクリューコンベア
６        解砕手段
１０      軸体
１１      攪拌棒
１２      解砕爪
１４      下向き解砕棒
１５      上向き解砕棒
ｇ        砕氷
【図１】
2004278827.tif 000003
【図２】
2004278827.tif 000004
【図３】
2004278827.tif 000005
【図４】
2004278827.tif 000006
【図５】
2004278827.tif 000007
【図６】
2004278827.tif 000008
【図７】
2004278827.tif 000009
【図８】
2004278827.tif 000010
【図９】
2004278827.tif 000011